(57)【要約】【課題】無駄な消費電力を殆ど増加させずに、ユーザの電源オン操作から映像・音声出力までの処理時間を短縮する。【解決手段】視聴準備モードを設けて、ユーザの日常的な電源オン時間帯を電源オン情報管理部１０９で記憶して時間帯をデータベース化して管理し、データベースに基づいて、ユーザの電源オン時間帯に到達する一定時間前に、自動で電源をオンして視聴準備モードにし、各デバイスへの電源供給を済ましておき、ユーザの電源ボタンオン押してから映像・音声が出力されるまでに掛かる時間を短縮する。視聴準備モードにおいて一定時間ユーザの電源ボタンオンが無い場合は電源の供給及び受信処理もしないので、無駄な電力消費が無い。【選択図】  図１
2008131102.tif 000002
【特許請求の範囲】
【請求項１】
少なくとも、映像・音声などが伝送されたデジタル放送の信号を受信して復調する受信手段と、
前記受信手段で復調された信号から所望の信号を分離するパケット分離手段と、
前記パケット分離手段から抽出された信号を復号する復号手段と、
前記復号手段で復号された信号を出力する出力手段と、
リモコン等によるユーザからの入力を受けるユーザ入力処理手段と、
前記ユーザ入力処理手段からの電源オン要求を受けた電源オン操作時刻を記憶すると共に前記電源オン操作時刻をデータベース化して管理する電源オン管理手段と、
前記ユーザ入力処理手段からの電源オン／オフ要求と、前記電源オン管理手段からの電源オン時刻通知とを受けて、視聴状態を管理する視聴モード管理手段と、
前記各手段を制御する制御手段とを備え、
前記制御手段は、前記電源オン管理手段が管理する前記データベースに基づき、前記ユーザの視聴状態に応じて前記各手段への電源供給及び映像・音声の出力を制御することを特徴とするデジタル放送受信装置。
【請求項２】
請求項１記載のデジタル放送受信装置において、
前記視聴モード管理手段は、装置の状態を示すモードとして、前記各手段に対して電源供給、受信処理、及び映像・音声の出力の何れも行わない「未視聴モード」と、
前記各手段に対して電源供給を行うが、受信処理、及び映像・音声の出力は行なわない「視聴準備モード」と、
前記各手段に対して電源供給、受信処理、及び、映像・音声の出力を行なう「視聴中モード」とを備え、
前記制御手段は、前記各モードに応じて前記各手段を制御することを特徴とするデジタル放送受信装置。
【請求項３】
請求項２記載のデジタル放送受信装置において、
前記視聴モード管理手段は、前記モードが視聴準備モードの場合に、受信処理までを行なうことを特徴とするデジタル放送受信装置。
【請求項４】
請求項２記載のデジタル放送受信装置において、前記視聴モード管理手段は、前記視聴準備モードにおいて一定時間経過してもユーザからの電源オン操作が無い場合に、前記未視聴モードに遷移することを特徴とするデジタル放送受信装置。
【発明の詳細な説明】
【技術分野】
【０００１】
本発明はデジタル放送受信装置に係り、特に、デジタル放送受信装置の電源をオンしてから映像・音声出力までの時間を、消費電力の増加を殆ど伴わずに短縮可能とするデジタル放送受信装置に関する。
【背景技術】
【０００２】
デジタル放送受信装置では、電源がオフの状態から、リモコン等で電源のオン操作を受けると、デジタル放送受信装置内の各デバイスに電源を供給し、受信処理を行ない、受信した信号の映像・音声を出力する。そのため、ユーザが電源オン操作をしてから映像・音声が出力されるまでには、少なくとも、装置内のデバイスへの電源供給に掛かる時間、受信処理に掛かる時間、映像・音声の出力処理に掛かる時間、などの処理時間が生じる。
【０００３】
一方、ユーザの使い勝手を向上させるために、ユーザの電源オン／オフ操作の時間帯を解析して、自動的に電源をオン／オフする装置が、特許文献１に提案されている。
【０００４】
【特許文献１】特開２００４−３４９９４６号公報
【発明の開示】
【発明が解決しようとする課題】
【０００５】
デジタル放送受信装置は、アナログ放送受信装置に比べて、回路規模が大きく、搭載されるデバイス数が多い。そのため、電源をオンしてから映像・音声が出力されるまでに掛かる処理時間（システム起動時間）は、長くなる傾向にある。さらに、デジタル放送受信装置の高機能化に伴って、例えばハードディスクを内蔵するなどして、制御すべきデバイスが増えることにより、その傾向は強くなる。仮に、デバイスに常時電源を供給しておけば、システム起動時間を短縮することはできるが、一方で無駄な消費電力が増加することになる。
【０００６】
また、上記した特許文献１では、ユーザの視聴時間帯を解析し、ユーザの視聴時間帯に応じて、自動的に電源をオンして映像・音声を出力することはできるが、ユーザが居ない場合でも自動で映像・音声の出力まで行なってしまうため、無駄な消費電力が増加する場合がある。
【０００７】
そこで、本発明の目的は、上記問題に鑑み、消費電力を殆ど増加させないまま、ユーザの電源オン操作から映像・音声出力までの処理時間を短縮し、使い勝手の向上を図ったデジタル放送受信装置を提供することにある。
【課題を解決するための手段】
【０００８】
上記の課題を解決するために、本発明に係るデジタル放送受信装置は、少なくとも、映像・音声などが伝送されたデジタル放送の信号を受信して復調する受信手段と、前記受信手段で復調された信号から所望の信号を分離するパケット分離手段と、前記パケット分離手段から抽出された信号を復号する復号手段と、前記復号手段で復号された信号を出力する出力手段と、リモコン等によるユーザからの入力を受けるユーザ入力処理手段と、前記ユーザ入力処理手段からの電源オン要求を受けた電源オン操作時刻を記憶すると共に前記電源オン操作時刻をデータベース化して管理する電源オン管理手段と、前記ユーザ入力処理手段からの電源オン／オフ要求と、前記電源オン管理手段からの電源オン時刻通知とを受けて、視聴状態を管理する視聴モード管理手段と、前記各手段を制御する制御手段とを備え、
前記制御手段は、前記電源オン管理手段が管理する前記データベースに基づき、前記ユーザの視聴状態に応じて前記各手段への電源供給及び映像・音声の出力を制御することを特徴とするものである。
【０００９】
上記デジタル放送受信装置において、前記視聴モード管理手段は、装置の状態を示すモードとして、前記各手段に対して電源供給、受信処理、及び映像・音声の出力の何れも行わない「未視聴モード」と、前記各手段に対して電源供給を行うが、受信処理及び映像・音声の出力は行なわない「視聴準備モード」と、前記各手段に対して電源供給、受信処理、及び、映像・音声の出力を行なう「視聴中モード」とを備えて、
前記制御手段が、前記各モードに応じて前記各手段を制御すれば好適である。
【００１０】
また、この場合、前記視聴モード管理手段は、前記モードが視聴準備モードの場合に、受信処理までを行なうようにすればよい。
【発明の効果】
【００１１】
本発明のデジタル放送受信装置によれば、消費電力を殆ど増加させないまま、ユーザの電源オン操作から映像・音声出力までの処理時間を短縮することができる。
【発明を実施するための最良の形態】
【００１２】
以下、本発明の実施の形態につき、添付図面を参照しながら詳細に説明する。
【実施例１】
【００１３】
図１は、本発明に係るデジタル放送受信装置の第１実施例を示すブロック図である。本実施例のデジタル放送受信装置１００は、幾つかの映像／音声が多重化され変調された信号が入力される入力端子１０１と、復調や伝送時に発生した誤りを訂正する受信部１０２と、多重化された信号から所望の映像／音声の信号を選択抽出するパケット分離部１０３と、符号化された信号を復号する復号部１０４と、復号された信号を出力する出力端子１０５と、リモコン１０６からの信号を受信するリモコン入力端子１０７と、リモコン入力端子１０７からの信号を処理するユーザ入力処理部１０８と、ユーザ入力処理部１０８からの電源ボタン押下通知を受けて、電源オン時間の管理を行なう電源オン情報管理部１０９と、ユーザ入力処理部１０８からの電源ボタン押下通知と電源オン情報管理部１０９からの電源オン時刻通知を受けて、視聴モードを管理する視聴モード管理部１１０と、各部を制御する制御部１１１とから構成される。
【００１４】
図２は、視聴モード管理部１１０の視聴モード状態遷移を示す図であり、視聴モードには、未視聴モード２００と、視聴準備モード２０１と、視聴中モード２０２とがある。
【００１５】
未視聴モード２００は、各部のデバイスに電源を供給せず、受信処理をせず、映像・音声を出力しない状態である。視聴準備モード２０１は、各部のデバイスに電源を供給しておき、受信処理をせず、映像・音声を出力しない状態である。視聴中モード２０２は、各部のデバイスに電源を供給し、受信処理を行ない、映像・音声を出力する状態である。
【００１６】
未視聴モード２００の状態において、電源オン情報管理部１０９から電源オン時刻通知を受けると、視聴準備モード２０１に遷移し、ユーザ入力処理部１０８から電源ボタン押下通知を受けると、視聴中モード２０２に遷移する。
【００１７】
視聴準備モード２０１において、ユーザ入力処理部から電源ボタン押下通知を受けると、視聴中モード２０２に遷移し、一定時間が経過してもユーザ入力処理部１０８から電源ボタン押下通知を受けなかった場合（電源ボタンタイムアウト）には、未視聴モード２００に遷移するが、電源オン情報管理部１０９から電源オン時刻通知を受けても、状態は遷移しない。
【００１８】
視聴中モード２０２において、ユーザ入力処理部１０８から電源ボタン押下通知を受けると、未視聴モード２００に遷移するが、電源オン情報管理部１０９から電源オン時刻通知を受けても状態は遷移しない。
【００１９】
次に、第１実施例におけるデジタル放送受信装置の動作について説明する。複数の情報が多重化されているデジタル信号が入力端子１０１に入力され、受信部１０２でデジタル信号を復調する。前記パケット分離部１０３では、映像・音声信号を抽出して復号部１０４に入力する。復号部１０４では、映像・音声を復号して、出力端子１０５に出力する。
【００２０】
リモコン１０６から発信された信号は、リモコン入力端子１０７に入力され、ユーザ入力処理部１０８で処理される。ユーザ入力処理部１０８では、入力された信号が電源ボタンを示すものであれば電源オン情報管理部１０９と視聴モード管理部１１０に通知する。
【００２１】
電源オン情報管理部１０９では、電源オンが通知された時刻を、電源オン時刻情報として記憶し、ある一定期間（例えば一ヶ月間）で蓄積した電源オン時刻情報を解析して、ユーザの電源オン時間帯をデータベース化して保持する。現在時刻が、ユーザの電源オン時間帯に到達する一定時間前の時刻（例えば５分前）になったら前記視聴モード管理部１１０に通知する。
【００２２】
視聴モード管理部１１０では、ユーザ入力処理部１０８からの電源ボタン押下通知と電源オン情報管理部１０９からの電源オン時刻通知を受けて視聴状態を管理し、視聴モードの変化を前記制御部１１１に通知する。前記制御部１１１では、前記視聴モード管理部１１０から通知された視聴モードに応じて、各部のデバイスに対する電源供給、受信処理、映像・音声出力処理を制御する。
【００２３】
まず、未視聴モードから視聴準備モードに状態遷移するときの動作を、図３に示したフローチャートにより説明する。電源オン情報管理部１０９は、データベース化した電源オン時刻情報と現在時刻とを監視しており（ステップＳ１）、現在時刻が電源オン時刻より一定時間前の時刻（例えば５分前）になったら（ステップＳ１、ＹＥＳ）、視聴モード管理部１１０に電源オン時刻通知を出す（ステップＳ２）。
【００２４】
視聴モード管理部１１０は、視聴モードが未視聴モード２００から視聴準備モード２０１に状態遷移することを、制御部１１１に通知し、電源ボタン押下監視用のタイマ（不図示）をセットする（ステップＳ３）。制御部１１１は視聴モード管理部１１０からの通知を受けて、各部のデバイスに対して電源供給を行ない、デジタル放送受信装置を視聴準備モードにする（Ｓ４）。
【００２５】
次に、図４により、視聴準備モード２０１から視聴中モード２０２に、状態遷移するときの動作を説明する。
【００２６】
視聴準備モードにおいて、ユーザによってリモコン１０６の電源ボタンが押されると（ステップＳ５、ＹＥＳ）、リモコン入力端子１０７を経由してユーザ入力処理部１０８に信号が入力される(ステップＳ６)。ユーザ入力処理部１０８は、入力された信号から電源ボタンが押下されたと判断し、視聴モード管理部１１０に電源ボタン押下通知を行なう（ステップＳ７）。視聴モード管理部１１０は、視聴準備モード２０１から視聴中モード２０２に状態遷移することを制御部１１１に通知し、電源ボタン押下監視用のタイマをキャンセルする（ステップＳ８）。制御部１１１は、受信部１０２とパケット分離部１０３を制御して受信処理を行ない、さらに復号部１０４を制御して映像・音声を出力させて、視聴中モードにする（ステップＳ９）。
【００２７】
この様に、視聴準備モード２０１を設けて、ユーザが日常的に電源をオンして視聴を開始する時間帯の前に、自動でデバイスへの電源供給を済ませておくことにより、ユーザが電源ボタンを押してから映像・音声が出力されるまでに掛かる時間を短縮することができる。
【実施例２】
【００２８】
本発明に係るデジタル放送受信装置の第２実施例の動作を、以下に説明する。前述した第１実施例と異なるのは、視聴準備モード２０１で受信処理まで行なう点である。その他は第１実施例と同じである。
【００２９】
まず、未視聴モード２００から視聴準備モード２０１に状態遷移するときの動作を説明する。電源オン情報管理部１０９は、データベース化した電源オン時刻情報と現在時刻とを監視しており、現在時刻が電源オン時刻より一定時間前の時刻（例えば５分前）になったら、前記視聴モード管理部１１０に電源オン時刻通知を出す。視聴モード管理部１１０は、視聴モードが未視聴モードから視聴準備モードに状態遷移することを制御部１１１に通知し、電源ボタン押下監視用のタイマをセットする。制御部１１１は、各部のデバイスに対して電源供給を行ない、前記受信部１０２と前記パケット分離部１０３を制御して受信処理を行なう。
【００３０】
すなわち、本実施例のフローチャートを示せば図５の通りであり、第１実施例の図３に対してステップＳ４１が追加されている。
【００３１】
視聴準備モード２０１から視聴中モード２０２に遷移する時の動作は、第１実施例の図４のフローチャートと同じであり、リモコン１０６の電源ボタンが押されると、リモコン入力端子１０７を経由して、ユーザ入力処理部１０８に信号が入力される。ユーザ入力処理部１０８は、入力された信号が電源ボタンであると判断し、視聴モード管理部１１０に電源ボタン押下通知を行なう。視聴モード管理部１１０は、視聴準備モード２０１から視聴中モード２０２に状態遷移することを、制御部１１１に通知し、電源ボタン押下監視用のタイマをキャンセルする。制御部１１１は、復号部１０４を制御して映像・音声を出力させて視聴モードにする。
【００３２】
この様に、本実施例においても、視聴準備モードを設けて、ユーザが日常的に電源をオンして視聴を開始する時間帯の前に、自動でデバイスへの電源供給を済ませておくことにより、ユーザが電源ボタンを押してから映像・音声が出力されるまでに掛かる時間を短縮することができる。また、本実施例では、視聴準備モード２０１で受信処理まで済ませておくので、ユーザが電源ボタンを押してから映像・音声が出力されるまでに掛かる時間を、さらに短縮することができる。
【実施例３】
【００３３】
本発明に係るデジタル放送受信装置の第３実施例の動作を、以下に説明する。前述した第１実施例と異なるのは、視聴準備モード２０１から未視聴モード２００に状態遷移する点である。その他は第１実施例と同じである。
【００３４】
視聴準備モードから未視聴モードに状態遷移するときの動作を図６により説明する。なお、図６において、視聴準備モードのステップＳ１〜Ｓ４は、図３のステップＳ１〜Ｓ４により視聴準備モードとなっていることを示している。視聴準備モード２０１において、電源ボタンが押下されないまま一定時間（例えば５分）が経過すると（ステップＳ６１、ＹＥＳ）、視聴モード管理部１１０は、電源ボタン押下監視用タイマにより一定時間が経過したことを検知し、視聴準備モードから未視聴モード２００に遷移することを制御部１１１に通知する（ステップＳ６２）。制御部１１１は、各部のデバイスに対して電源供給を停止する（ステップ６３）。
【００３５】
この様に、本実施例でも視聴準備モードを設けているので、ユーザが日常的に電源をオンして視聴を開始する時間帯の前に自動でデバイスへの電源供給を済ませておくことにより、ユーザが電源ボタンを押してから映像・音声が出力されるまでに掛かる時間を短縮することができる。
【００３６】
更に本実施例では、視聴準備モード２０１において一定時間経過しても電源ボタンが押下されなかった場合に、自動的に未視聴モードに状態遷移して各部のデバイスに対する電源供給を停止することにより、無駄な消費電力が増えるのを防ぐことができる。
【図面の簡単な説明】
【００３７】
【図１】本発明に係るデジタル放送受信装置の構成を示すブロック図。
【図２】本発明に係るデジタル放送受信装置の視聴モード状態遷移図。
【図３】実施例１の未視聴モードから視聴準備モードへの状態遷移のフローチャート。
【図４】実施例１の視聴準備モードから視聴中モードへの状態遷移のフローチャート。
【図５】実施例２の未視聴モードから視聴準備モードへの状態遷移のフローチャート。
【図６】実施例３の視聴準備モードから未視聴モードへの状態遷移のフローチャート。
【符号の説明】
【００３８】
１００…デジタル放送受信装置、１０１…入力端子、１０２…受信部、１０３…パケット分離部、１０４…復号部、１０５…出力端子、１０６…リモコン、１０７…リモコン入力端子、１０８…ユーザ入力処理部、１０９…電源オン管理部、１１０…視聴モード管理部、１１１…制御部、２００…未視聴モード、２０１…視聴準備モード、２０２…視聴中モード。
【図１】
2008131102.tif 000003
【図２】
2008131102.tif 000004
【図３】
2008131102.tif 000005
【図４】
2008131102.tif 000006
【図５】
2008131102.tif 000007
【図６】
2008131102.tif 000008